(57)【特許請求の範囲】
【請求項１】
発光する光源と、
前記光源からの光が照射された生体を撮像する撮像部と、
前記生体を撮像位置に保持する生体保持部と、
これらを搭載する装置本体と、
からなる生体情報読取装置であって、
前記生体保持部を、前記装置本体に設けられた摺動部に摺動自由に支持される摺動支持部と、先端で生体を支える生体保持面とを有する生体保持部材により構成し、前記装置本体に格納させた格納位置と、該格納位置から装置本体の外方に突出させて前記撮像部から離間させた生体保持位置とに変位させる構成にした
生体情報読取装置。
【請求項２】
前記生体保持部材に、光源から照射された光を生体保持部材に保持された生体の照射位置へと導く導光通路を備えた
請求項１に記載の生体情報読取装置。
【請求項３】
前記生体保持部材の表面に、導光通路内の光を反射させる層を形成した
請求項２に記載の生体情報読取装置。
【請求項４】
前記生体保持部材の表面に、導光通路外から導かれた光を遮断させる層を形成した
請求項２に記載の生体情報読取装置。
【請求項５】
撮像部で読取る生体情報は生体特有の静脈を撮像した静脈の画像情報である
請求項１〜４の何れか１つに記載の生体情報読取装置。
【請求項６】
撮像部で読取る生体情報は生体特有の隆線からなる紋様である
請求項１〜４の何れか１つに記載の生体情報読取装置。
【請求項７】
前記生体保持面を、撮像対象の生体として指を保持する構成にした
請求項１〜６の何れか１つに記載の生体情報読取装置。
【発明の詳細な説明】
【技術分野】
【０００１】
この発明は、パーソナルコンピュータ、携帯端末、ＡＴＭ、自動車等に搭載される個人認証装置に利用されるような生体情報読取装置に関し、さらに詳しくは静脈等の個人の生体の特徴を表す生体情報を読取り認証する技術に関する。
【背景技術】
【０００２】
従来、個人を特定して認証する方法には、暗証番号やパスワード等の特定の識別データを入力する方法、磁気カードや鍵等の識別媒体の挿入により個人を特定する方法が用いられてきた。  
しかし、これらの方法では、利用者が暗証番号やパスワード等の識別データを忘れることがあり、また他人が本人の識別データをなりすまして利用するといった不正行為のおそれがある。このほか、識別媒体についても偽造されて不正利用されるといった問題点がある。
【０００３】
このような問題に鑑み、近年、個人の生体の特徴を表す生体情報を識別することにより個人を認証する個人認証装置が提案されている。例えば、指紋、皮膚、静脈等の生体情報を識別することで、偽造を困難にできる信頼性の高い個人認証装置を得ることができる。
【０００４】
ここで、利用者にとって心理的抵抗が少ない静脈を生体情報として認証する静脈認証装置が知られている。この静脈認証装置は、生体に近赤外光を照射し、この近赤外光を生体の内部で散乱させた後、生体の外部に透過する近赤外光を生体情報の画像として撮像し、この撮像した生体情報の画像に基づいて認証するものである。具体的には、撮像した生体情報の画像から静脈を特定する際、血液中のヘモグロビンは近赤外光を吸収する性質があるため撮像した画像には暗い影のパターンとして現れる。このような静脈のパターンを個人認証の生体情報パターンとして取得すれば、この静脈の生体情報パターンと、予め登録した生体情報の登録パターンとの相関関係を求めることで、静脈認証装置での個人認証を行うことができる。
【０００５】
この静脈の生体情報パターンを読取って識別する個人認証装置の一例として、指を置くガイド位置に向けて照射する赤外光の光源を、ガイド位置の両側に設置して照射させることにより、指の生体情報パターン(血管パターン)を読取る個人認証装置が知られている(例えば特許文献１参照)。  
しかし、この指の静脈を用いた個人認証装置では、指を置く場所の両側面に光源を設置するための領域が必要になり、個人認証装置の幅寸法が大きくなる。それゆえ、個人認証装置をコンパクトに構成するには構造上において限界が生じていた。
【０００６】
このほかにも、静脈の画像を光学系を用いたイメージセンサで読取る生体特徴入力装置が知られている(例えば特許文献２参照)。  
しかし、この場合はイメージセンサで撮像する画像の画質を向上するために、撮像対象となる指を撮像位置に固定させる必要があり、その指を固定するセット部も装置に装備する必要がある。また、イメージセンサの位置から指を固定するセット部の位置までの必要な撮像距離を確保する必要があり、そのために装置が一定以上の大きさの構造とならざるを得なかった。
【０００７】
【特許文献１】特開２００４−２６５２６９号
【特許文献２】特開２００６−１５８９５２号
【発明の開示】
【発明が解決しようとする課題】
【０００８】
そこでこの発明は、撮像部から生体までの必要な撮像距離を確保して明瞭な画像品質を取得できる撮像条件を満たしながら小型化を図ることができる生体情報読取装置を提供することを目的とする。
【課題を解決するための手段】
【０００９】
この発明は、発光する光源と、前記光源からの光が照射された生体を撮像する撮像部と、前記生体を撮像位置に保持する生体保持部と、これらを搭載する装置本体とからなる生体情報読取装置であって、前記生体保持部を、前記装置本体に設けられた摺動部に摺動自由に支持される摺動支持部と、先端で生体を支える生体保持面とを有する生体保持部材により構成し、前記装置本体に格納させた格納位置と、該格納位置から装置本体の外方に突出させて前記撮像部から離間させた生体保持位置とに変位させる構成にしたことを特徴とする。
【発明の効果】
【００１０】
この発明は、生体の撮像時と非撮像時とに応じて生体情報読取装置を拡縮自在に切り替えることができる生体保持部を備えることにより、非撮像時には折畳んで小型化できるため、携帯端末等への組込みに際しても小型で効率よく組込むことができる。
【発明を実施するための最良の形態】
【００１１】
生体を保持する生体保持部を装置本体より出没させて生体情報読取装置を小型化する。
【実施例１】
【００１２】
以下、この発明の実施例を図面に基づいて説明する。  
図１は生体情報読取装置Ａ１の使用状態を示す縦断面図であり、図２は生体情報読取装置Ａ１の使用状態を示す平面図であり、図３は導光通路における導光状態を示す説明図であり、図４は生体情報読取装置Ａ１の不使用状態を示す縦断面図であり、図５は生体情報読取装置Ａ１の不使用状態を示す平面図である。
【００１３】
生体情報読取装置Ａ１は、光を発光するＬＥＤ(発光ダイオード)等の光源１ａ，１ｂと、生体としての指２を撮像するＣＣＤカメラ等の撮像部３と、指２を撮像位置に保持する左右一対の指ホルダ４ａ，４ｂと、これらを搭載する装置本体６とから構成されている。生体情報読取装置Ａ１は、図示しない例えば携帯電話等に装置本体６が装着されて使用される。
【００１４】
前記装置本体６は全体が略長方板状に形成されている。該装置本体６は平面視中央に肉厚方向へ貫通する中央空間８が形成され、該中央空間８を挟んで長手方向両側に格納空間７ａ，７ｂが線対称に形成されている。中央空間８の中央部には撮像部３が配置されている。格納空間７ａ，７ｂには指ホルダ４ａ，４ｂが格納されている。この格納された指ホルダ４ａ，４ｂの位置を格納位置とする。
【００１５】
前記格納空間７ａ，７ｂは、装置本体６の上面両側に長方形に浅く形成された凹状空間９ａ，９ｂと、該凹状空間９ａ，９ｂの中央空間８寄りに深く形成された凹状空間９ｃ，９ｄとを有している。これらの浅い凹状空間９ａ，９ｂには、指ホルダ４ａ，４ｂが完全に格納される。また、凹状空間９ｃ，９ｄには、発光方向を上向きに設定した光源１ａ，１ｂが配置される。
【００１６】
前記指ホルダ４ａ，４ｂは中空の長方板形状に形成され、前記浅い凹状空間９ａ，９ｂに水平状態で格納可能な大きさに形成されている。さらに、該指ホルダ４ａ，４ｂの基端部が前記光源１ａ，１ｂの上方に対応する装置本体６の軸支部１０ａ，１０ｂに回動自由に軸支されている。そして、これらの軸支部１０ａ，１０ｂを回動支点に、該指ホルダ４ａ，４ｂは水平状態の格納位置と、これより垂直に起立した指保持位置とに９０度回動して切替えられる。
【００１７】
指ホルダ４ａ，４ｂと装置本体６には、指ホルダ４ａ，４ｂが格納位置と指保持位置との各位置でぐらつかないように位置決めされる位置決め係止手段が備えられている。この位置決め係止手段は、指ホルダ４ａ，４ｂの軸支部近傍と装置本体６の軸支部近傍とが対向する互いの対向側面が凹凸形成された凹凸対応部１１ａ，１１ｂにより構成されている。この位置決め係止手段は、指ホルダ４ａ，４ｂを格納位置と指保持位置との各位置でそれぞれ位置決め固定する。
【００１８】
さらに、指ホルダ４ａ，４ｂは、先端部に、１つの指２を水平に載せて支える生体保持面の機能を有する滑らかな凹型円弧状の指保持面１２ａ，１２ｂを有している。これらの指保持面１２ａ，１２ｂは左右一対の指ホルダ４ａ，４ｂが起立して生体保持位置としての指保持位置で一定間隔離れて平行に起立した際に、一方の指保持面１２ａが指２の第１関節付近を支え、他方の指保持面１２ｂが同指２の第２関節付近を支える。
【００１９】
このように指ホルダ４ａ，４ｂは、指２を撮像する使用時に指ホルダ４ａ，４ｂを垂直に起立させる指保持位置(図１及び図２参照)と、不使用時に該指ホルダ４ａ，４ｂを装置本体６の内部に水平に沈み込ませた状態に待機させる格納位置(図４及び図５参照)とに回動して変位される変位機能を有している。
【００２０】
そして、この変位機能により、指ホルダ４ａ，４ｂを、軸支部１０ａ，１０ｂを中心に回動させて異なる位置に切替えることができ、指２を撮像する際には該指ホルダ４ａ，４ｂを装置本体６の格納位置から起立させて装置本体６の指保持位置に突出させることができる。
【００２１】
ここで、指ホルダ４ａ，４ｂは、指保持機能だけでなく、下方の光源１ａ，１ｂから照射された光を、上方の指２に向けて導く導光ガイド機能を備えている。この指ホルダ４ａ，４ｂは、図３に示すように、断面長手方向で中空のパイプ形状を有しており、該指ホルダ４ａの上下端面が開口されている。この指ホルダ４ａ，４ｂの内部空間は、導光通路１３となる導光体機能を兼ねている。そして、指ホルダ４ａ，４ｂは、下方の光源１ａから照射された光を、内部の導光通路１３を通過させて上端の指保持面１２ａ，１２ｂに保持された指２の照射位置へと導く。
【００２２】
詳述すると、光源１ａからの上向きの光は指ホルダ４ａの下方に開口された入射部分１４より導光通路１３内に入射させる。また、導光通路１３からの光は、上方に開口された出射部分１５より指２の照射位置に向けて出射させる。
【００２３】
指ホルダ４ａ，４ｂの表面には、通路外から導かれた外光が通路内に入るのを遮断し、通路内の光が通路外に出ないように反射させる反射層が形成されている。この反射層は、赤外光等の光を反射する例えば樹脂材を指ホルダ素材あるいは被覆材として用いることで実現できる。このため、指ホルダ４ａは外乱光の影響を受けず、また導光通路１３から通路外に光が漏れないので効率の良い導光を実現できる。
【００２４】
以上の構成により、読取り対象である指２の静脈１６と撮像部３との距離を本人認証に必要な範囲の静脈１６が撮像部３に入る撮像距離１７に調整することを、指ホルダ４ａ，４ｂの起立高さ調整により容易に実現できる。よって、明瞭な画像を取得できる。また、光源１ａ，１ｂは撮像部３を中心とする長手方向両側の位置に撮像部３から等間隔に配置することで、均一な発光を容易に実現でき、撮像精度は一層正確になる。このため、一方の指ホルダ４ａから他方の指ホルダ４ｂまでの静脈撮像領域１８にある静脈１６を正確に撮像することができる。また、指ホルダ４ａ，４ｂの内側の壁により光源１ａ，１ｂの光が撮像部３の撮像に影響を与えない。
【００２５】
なお、光源１ａ，１ｂの配設位置は装置本体６の内部に限らず、指ホルダ４ａ，４ｂの中空内部に介在させて、指２に近づけて照射するように配置することもできる。
【００２６】
さらに、上端の指保持面１２ａ，１２ｂには近赤外領域の波長だけを通す図示しないフィルタが装着されている。これにより、可視光領域の光による影響を抑え、静脈１６を鮮明に撮像する。また、利用者が起立状態の指ホルダ４ａ，４ｂを覗き込んでも光源１ａ，１ｂが見えず、美観に優れている。一方、生体情報読取装置Ａ１には、図示省略する制御部、記憶部が設けられている。制御部は、撮像部３により撮像した画像を記憶部に記憶している登録済みの画像データと比較して本人か否かを照合判定する。
【００２７】
指２の撮像が終了すると、起立している指ホルダ４ａ，４ｂを軸支部１０ａ，１０ｂを中心に傾倒方向に回動させて、該指ホルダ４ａ，４ｂを垂直状態の指保持位置から横向きに倒して装置本体６の格納位置へと折畳んで水平状態に格納させることができる。この場合、指ホルダ４ａ，４ｂの全体が格納空間７ａ，７ｂに沈み込んで装置本体６の上面より突出しない装置本体６の高さ(厚さ)寸法Ｈ(図４参照)内にコンパクトに格納されることになる。
【００２８】
以上のごとく、指ホルダ４ａ，４ｂを起立傾倒させる変位機能を備えているため、指２の静脈１６を撮像する使用時には指ホルダ４ａ，４ｂを起立させることで、生体情報読取装置Ａ１を直ちに構築して静脈１６を撮像することができる。これに対し、不使用時には指ホルダ４ａ，４ｂを装置本体６内に折畳んでコンパクトに格納させることができ、小型化して携帯に適した運用が図れる。
【００２９】
なお、この実施例では、人体の特有の情報を特定する一例として、指の静脈１６を用いたが、これに限らず、他の場所の静脈を撮像することができるほか、隆線からなる指先の指紋の紋様を特有の識別情報として撮像部３により光学的に読み取るように構成することもできる。
【実施例２】
【００３０】
図６は指の保護機能を備えた生体情報読取装置Ａ２の使用状態を示す縦断面図である。この実施例２では前記実施例１と比べて、指詰め防止用の保護カバー６１を備えた部分のみが異なり、他の構造は同一であるため同一の構造については同じ符号を付してその説明を省略し、異なる部分についてのみ説明する。
【００３１】
前記保護カバー６１は、装置本体６に形成されている浅い凹状空間９ａ，９ｂの底面６２と、浅い凹状空間９ａ，９ｂに格納された状態で前記底面６２と対向する指ホルダ４ａ，４ｂの外側面６３との間を、蛇腹状のカバーで折畳自在に伸縮許容して覆うものである。該保護カバー６１を設けることにより、指ホルダ４ａ，４ｂを装置本体６の水平な格納位置から垂直に起立させた指保持位置へと突出させるまでの該指ホルダ４ａ，４ｂの略９０度の回動軌跡空間を覆うことができる。
【００３２】
このため、指ホルダ４ａ，４ｂが起立した際に、凹状の格納空間７ａ，７ｂが保護カバー６１で覆われて該格納空間７ａ，７ｂが遮蔽され、外部から異物が侵入しなくなる。よって、指ホルダ４ａ，４ｂを回動させて装置本体６の浅い凹状空間９ａ，９ｂに格納させるような場合に、物を挟むなどのおそれがなくなり、保護機能を持たせることができる。
【実施例３】
【００３３】
図７は上下方向スライド型の生体保持部７１を備えた生体情報読取装置Ａ３の使用状態を示す縦断面図であり、図８は上下方向スライド型の生体保持部７１を備えた生体情報読取装置Ａ３の平面図であり、図９は上下方向スライド型の生体保持部７１を備えた生体情報読取装置Ａ３の不使用状態を示す縦断面図である。
【００３４】
この実施例３では前記実施例１及び実施例２と比べて、上下方向スライド型の生体保持部７１の部分のみが異なり、他の構造は同一であるため同一の構造については同じ符号を付してその説明を省略し、異なる部分についてのみ説明する。
【００３５】
前記上下方向スライド型の生体保持部７１は、装置本体６の中央部に肉厚方向に開口して設けられた摺動部としての肉厚方向の摺動ガイド部７２に摺動自在に支持される摺動支持部としての第１スライド片７３と、該第１スライド片７３を介して設けられる生体保持部材としての第２スライド片７４と、これらのスライド片７３，７４を装置本体６の上面より出没自在に支持する押しボタン型のオルタネイト機構７５とから構成される。
【００３６】
前記第１スライド片７３と第２スライド片７４とは長方形状の外枠となる第１スライド片７３とその内枠となる第２スライド片７４とが上下方向にスライド可能に連係して接続され、さらに両スライド片７３，７４にはその下方に配設された付勢バネ７６で上向きに付勢されている。そして、両スライド片７３，７４を出没自在にスライド動作させる押しボタン型のオルタネイト機構７５が内部構成されている。
【００３７】
前記押しボタン型のオルタネイト機構７５は、両スライド片７３，７４と摺動ガイド部７２との間で図示しないオルタネイトカム構造を有している。このため、図９に示す格納状態で利用者が第２スライド片７４の上面を付勢バネ７６の付勢力に抗して下向きに押圧すると、上動規制が解除されて、図７に示すように、両スライド片７３，７４が付勢バネ７６の付勢力を受けて上方に突出し、この突出状態を維持する。この突出状態で再度、第２スライド片７４の上面を付勢バネ７６の付勢力に抗して下向きに押圧すると、下動規制が解除されて、図９に示すように、両スライド片７３，７４は下動し、装置本体６の内部に沈み込む。その沈み込んで格納された状態で係止して上動規制する所謂オルタネイト機構(図面省略)による出没係止作用を生じさせることで、両スライド片７３，７４を押しボタン型として使用させることができる。
【００３８】
なお、オルタネイト機構に限らず、前記スライド片７３，７４を小型モータ等の駆動機構で駆動して、静脈１６の読取りに最適な撮像距離１７を確保するように上下方向にスライド動作させることもできる。
【００３９】
また、光源１ａ，１ｂは撮像部３を中心とする左右両側に対称に配置すればよく、例えば第２スライド片７４の内部両側に光源１ａ，１ｂを取付ければよい。この場合、該第２スライド片７４の上面に指保持面１２ａを形成している。また、指２と光源１ａ，１ｂとを十分に近づけるように第２スライド片７４の上部に光源１ａ，１ｂを取付けてもよい。
【００４０】
以上の構成により、読取り対象である指２の静脈１６と撮像部３との距離を本人認証に必要な範囲の静脈１６が撮像部３に入る撮像距離１７に調整することを、両スライド片７３，７４の起立高さ調整により容易に実現できる。よって、明瞭な画像を取得できる。
【００４１】
また、上下方向スライド型の生体保持部７１を備えているため、指２の静脈１６を撮像する使用時にスライド片７３，７４を起立させて適切に撮像することができ、不使用時にはスライド片７３，７４を装置本体６内に格納させて小型化できる。
【実施例４】
【００４２】
図１０は生体保持部を備えた生体情報読取装置Ａ４の折畳み途中の状態を示す説明図である。この実施例４では前記実施例１と比べて、生体保持部１０１の部分のみが異なり、他の構造は同一であるため同一の構造については同じ符号を付してその説明を省略し、異なる部分についてのみ説明する。
【００４３】
前記生体保持部１０１は、装置本体６と水平指ホルダ１０６を連結する連結杆１０４ａ，１０４ｂで構成される。この連結杆１０４ａ，１０４ｂは、装置本体６の摺動軸支部としての下軸支部１０２ａ，１０２ｂに基端部が軸支され、装置本体６の上軸支部１０３ａ，１０３ｂに先端部が軸支される生体保持部材としての水平指ホルダ１０６の上面には指２を水平に載せて支える指保持面１０５が形成されている。
【００４４】
そして、前記連結杆１０４ａ，１０４ｂを、その上下軸支部１０３ａ，１０３ｂ，１０２ａ，１０２ｂを回動支点に一方から他方に回動させたとき、該連結杆１０４ａ，１０４ｂを介して水平指ホルダ１０６を装置本体６の下方の格納位置から上方の指保持位置に突出させることができる。逆に、前記連結杆１０４ａ，１０４ｂを、その上下軸支部１０３ａ，１０３ｂ，１０２ａ，１０２ｂを回動支点に他方から一方に回動させたとき、該連結杆１０４ａ，１０４ｂを介して水平指ホルダ１０６を上方の指保持位置から下方の格納位置に沈み込ませることができる。
【００４５】
この場合、水平指ホルダ１０６は、平行リンク構造を有する連結杆１０４ａ，１０４ｂにより支持されて装置本体６より出没する構成のため、該水平指ホルダ１０６は上方に突出した指保持位置の場合も装置本体６内に格納された格納位置の場合も水平姿勢が維持され、終始安定して装置本体６と平行の姿勢が維持される。
【００４６】
この場合も読取り対象は指２の静脈１６であるが、水平指ホルダ１０６を装置本体６の上方に突出させた指保持位置での指保持面１０５と装置本体６の内部に配置されている下方の撮像部３との距離は、連結杆１０４ａ，１０４ｂの起立高さを必要な起立高さに設定することにより必要な撮像距離１７に容易に調整でき、明瞭な画像を取得できる。なお、連結杆１０４ａ，１０４ｂは中空形成されており、この中空内部が導光通路１３となり、導光体を兼ねた該連結杆１０４ａ，１０４ｂの下端開口部の下方に光源１ａ，１ｂが対設されている。
【００４７】
さらに、連結杆１０４ａ，１０４ｂが格納位置と指保持位置との各位置でぐらつかないように実施例１と同じく位置決め係止手段として、連結杆１０４ａ，１０４ｂの下軸支部１０２ａ，１０２ｂの近傍と装置本体６の軸支部近傍とが対向する互いの対向側面を凹凸形成して凹凸対応部１１ａ，１１ｂが形成されている。これにより、連結杆１０４ａ，１０４ｂを格納位置と指保持位置との各位置でそれぞれ位置決め固定できる。
【００４８】
以上の構成により、読取り対象である指２の静脈１６と撮像部３との距離を本人認証に必要な範囲の静脈１６が撮像部３に入る撮像距離１７に調整することを、連結杆１０４ａ，１０４ｂの起立高さ調整により容易に実現できる。よって、明瞭な画像を取得できる。
【実施例５】
【００４９】
図１１は左右方向スライド型の生体保持部を備えた生体情報読取装置Ａ５の使用状態を示す説明図である。この実施例５では前記実施例１と比べて、左右方向スライド型の生体保持部１１１の部分のみが異なり、他の構造は同一であるため同一の構造については同じ符号を付してその説明を省略し、異なる部分についてのみ説明する。
【００５０】
前記左右方向スライド型の生体保持部１１１は、装置本体６と生体保持部材としての水平指ホルダ１１６を連結する摺動連結杆１１４ａ，１１４ｂで構成されている。摺動連結杆１１４ａ，１１４ｂの基端部には、下摺動軸支部１１２ａ，１１２ｂが形成されている。この下摺動軸支部１１２ａ，１１２ｂは装置本体６の両側に形成された左右方向のスライド溝１１１ａ，１１１ｂに摺動自在に軸支される摺動連結杆１１４ａ，１１４ｂの先端部には、水平指ホルダ１１６に連結する上軸支部１１３ａ，１１３ｂが設けられている。水平指ホルダ１１６の上面には、指２を水平に載せて支える指保持面１１５が形成されている。
【００５１】
そして、前記下摺動軸支部１１２ａ，１１２ｂをスライド溝１１１ａ，１１１ｂに沿わせて一方から他方に摺動させたとき、摺動連結杆１１４ａ，１１４ｂは、水平指ホルダ１１６を装置本体６の下方の格納位置から上方の指保持位置に突出させることができる。逆に、前記下摺動軸支部１１２ａ，１１２ｂをスライド溝１１１ａ，１１１ｂに沿わせて他方から一方に摺動させたとき、摺動連結杆１１４ａ，１１４ｂは、水平指ホルダ１１６を上方の指保持位置から下方の格納位置に沈み込ませることができる。
【００５２】
この場合、水平指ホルダ１１６は、水平方向のスライド構造を有する摺動連結杆１１４ａ，１１４ｂに支持されて装置本体６より出没する構成のため、上方に突出した指保持位置の場合も装置本体６内に格納された格納位置の場合も水平姿勢が維持され、終始安定して装置本体６と平行の姿勢が維持される。
【００５３】
以上の構成により、読取り対象である指２の静脈１６と撮像部３との距離を本人認証に必要な範囲の静脈１６が撮像部３に入る撮像距離１７に調整することを、摺動連結杆１１４ａ，１１４ｂの起立高さ調整により容易に実現できる。よって、明瞭な画像を取得できる。
【００５４】
なお、摺動連結杆１１４ａ，１１４ｂは中空形成されており、この中空内部が導光通路１３となり、導光体を兼ねた該摺動連結杆１１４ａ，１１４ｂの下端開口部の下方に光源１ａ，１ｂが対設されている。
【００５５】
さらに、摺動連結杆１１４ａ，１１４ｂが格納位置と指保持位置との各位置でぐらつかないように実施例１と同じく位置決め係止手段として、摺動連結杆１１４ａ，１１４ｂの下摺動軸支部１１２ａ，１１２ｂの近傍と装置本体６の軸支部近傍とが対向する互いの対向側面を凹凸形成した凹凸対応部１１ａ，１１ｂに設けて、摺動連結杆１１４ａ，１１４ｂを格納位置と指保持位置との各位置でそれぞれ位置決め固定する。
【００５６】
以上のごとく、左右方向スライド型の生体保持部１１１を備えているため、指２の静脈１６を撮像する使用時には摺動連結杆１１４ａ，１１４ｂを起立させて水平指ホルダ１１６を上方に突出させることで、生体情報読取装置Ａ５を直ちに構築して指２の静脈１６を撮像することができる。これに対し、不使用時には摺動連結杆１１４ａ，１１４ｂ及び水平指ホルダ１１６を装置本体６内に折畳んでコンパクトに格納させることができ、小型化利用が図れる。
【実施例６】
【００５７】
図１２(Ａ)は水平指ホルダ１２１の平面図であり、図１２(Ｂ)は水平指ホルダ１２１の使用状態を示す側面図である。この実施例６では前記実施例４及び実施例５で用いられる水平指ホルダ１０６，１１６と比べて、該水平指ホルダ１２１に光源１ａを搭載した点が異なり、他の構造は同一であるため同一の構造については同じ符号を付してその説明を省略し、異なる部分についてのみ説明する。
【００５８】
前記水平指ホルダ１２１は両側に複数の光源１ａを配列して、該水平指ホルダ１２１の上面に載せられる指２を複数の光源１ａで直接照射するように構成したものである。このような水平指ホルダ１２１を前記実施例４及び実施例５に組込んで使用することができる。この場合は、十分な照射作用が得られ、照射効率を高めて撮像部３での画像品質の向上を図ることができる。
【００５９】
上述のように、生体情報読取装置に生体保持部を備えることにより、撮像部から撮像対象の指までの撮像距離を十分に確保して明瞭な画像品質を取得できる高品質の撮像条件を構築でき、しかも小型化を実現することができる。
【００６０】
この発明は、上述の実施例の構成のみに限定されるものではなく、請求項に示される技術思想に基づいて多くの実施の形態を得ることができる。例えば、前記実施例では装置本体の上面に指を平行させて保持するように構成したが、これに限らず、指を装置本体の上面より４５度位に傾斜させた角度で保持し、その傾斜方向に撮像方向が直交するように撮像部を設定して構成することもできる。
【図面の簡単な説明】
【００６１】
【図１】実施例１の生体情報読取装置の使用状態を示す縦断面図。
【図２】実施例１の生体情報読取装置の使用状態を示す平面図。
【図３】実施例１の導光通路における導光状態を示す説明図。
【図４】実施例１の生体情報読取装置の不使用状態を示す縦断面図。
【図５】実施例１の生体情報読取装置の不使用状態を示す平面図。
【図６】実施例２の指の保護機能を備えた生体情報読取装置の使用状態を示す縦断面図。
【図７】実施例３の上下方向スライド型の生体保持部を備えた生体情報読取装置の使用状態を示す縦断面図。
【図８】実施例３の上下方向スライド型の生体保持部を備えた生体情報読取装置の平面図。
【図９】実施例３の上下方向スライド型の生体保持部を備えた生体情報読取装置の不使用状態を示す縦断面図。
【図１０】実施例４の生体保持部を備えた生体情報読取装置の折畳み途中の状態を示す説明図。
【図１１】実施例５の左右方向スライド型の生体保持部を備えた生体情報読取装置の使用状態を示す説明図。
【図１２】(Ａ)は実施例６の水平指ホルダの平面図、(Ｂ)は実施例６の水平指ホルダの使用状態を示す側面図。
【符号の説明】
【００６２】
Ａ１，Ａ２，Ａ３，Ａ４，Ａ５…生体情報読取装置
１ａ，１ｂ…光源
２…指
３…撮像部
４ａ，４ｂ，１０６，１１６，１２１…指ホルダ
５，７１，１０１，１１１…生体保持部
７ａ，７ｂ…格納空間
９ａ，９ｂ…浅い凹状空間
１２ａ，１２ｂ，１０５，１１５…指保持面
１３…導光通路
１６…静脈
１７…撮像距離
１８…静脈撮像領域
６１…保護カバー
７３，７４…スライド片
【図１】
0004829183.tif 000002
【図２】
0004829183.tif 000003
【図３】
0004829183.tif 000004
【図４】
0004829183.tif 000005
【図５】
0004829183.tif 000006
【図６】
0004829183.tif 000007
【図７】
0004829183.tif 000008
【図８】
0004829183.tif 000009
【図９】
0004829183.tif 000010
【図１０】
0004829183.tif 000011
【図１１】
0004829183.tif 000012
【図１２】
0004829183.tif 000013